(57)【要約】【課題】  本発明は、病室用医療用コンソールユニットに関するもので、トータルコストを抑制する使い勝手のよい医療用コンソールユニットを提供することを課題とする。【解決手段】  医療用コンソールユニットを、単位部材のフレーム基材と、フレーム基材に連結し、かつ、フレーム基材を覆い隠蔽する単位部材のカバー部材のみで構成される設備機器収納部と、設備機器収納部の上部に連設される配管ボックス部で構成し、配管ボックスを、一対の単位部材であるフレーム材と、フレーム材に連結し、かつ、フレーム材を覆い隠蔽するパネル部材と、一対のフレーム材と連結する笠木部材で構成し、フレーム材の下部を、設備機器収納部に設けられた位置決め部によって上下位置と複数のフレーム材の左右の間隔が決めるように施し、フレーム材の上部を、笠木部材によって位置決めするように構成する。【選択図】 図３
2019103595.tif 000002
【特許請求の範囲】
【請求項１】
医療用ガスのアウトレットや医療用壁掛式吸引器の取り付けフック、ナースコール子機器具、コンセント、スイッチなどが組み付けられ、主に病室、居室の壁体に設置される医療用コンソールユニットにおいて、医療用コンソールユニットは、壁面に固定される単位部材のフレーム基材と、フレーム基材に連結し、かつ、フレーム基材を覆い隠蔽する単位部材のカバー部材で構成されることを特徴とする医療用コンソールユニット。
【請求項２】
医療用ガスのアウトレットや医療用壁掛式吸引器の取り付けフック、ナースコール子機器具、コンセント、スイッチなどが組み付けられ、主に病室、居室の壁体に設置される医療用コンソールユニットにおいて、医療用コンソールユニットは、壁面に固定される単位部材のフレーム基材と、フレーム基材に連結し、かつ、フレーム基材を覆い隠蔽する単位部材のカバー部材で構成される設備機器収納部と、設備機器収納部の上部に連設される配管や電線などが通される配管ボックス部で構成され、配管ボックスは、壁面に固定される少なくとも一対の単位部材であるフレーム材と、フレーム材に連結し、かつ、フレーム材を覆い隠蔽するとともに前記配管や電線などを覆い隠すパネル部材で構成されることを特徴とする医療用コンソールユニット。
【請求項３】
配管ボックスは、上下に高さ調整可能な笠木部材を備え、フレーム材は、上下方向に延伸するように配されるとともに、フレーム材の下部は、設備機器収納部に設けられた位置確認部よって上下位置と複数のフレーム材の左右の間隔が決められ、フレーム材の上部は、笠木部材によってフレーム材の左右の間隔が位置決められることを特徴とする請求項２に記載の医療用コンソールユニット。
【発明の詳細な説明】
【技術分野】
【０００１】
本発明は、主に病室や療養施設の居室内に設置され、患者に医療看護行為を行う為のコンセント、スイッチ、ナースコールなどの電気設備や、医療用ガスのアウトレット（酸素、空気、吸引等のガスの供給口と吸引口等）などが組み付けられる医療用コンソールユニットに関するものである。
【背景技術】
【０００２】
以前より、ベッドの頭部側壁面に設置される医療用コンソールユニットが知られている。
このような医療用コンソールユニットは、通常、設置される部屋の壁面に取り付けられる。このように、医療用コンソールユニットは、各部屋それぞれに個別で設置されることが一般的であるが、医療用コンソールユニット費用、医療用コンソールユニット設置工事、壁体設置工事などを含めた設置のトータルコストが高くなるといった問題がある。
そのため、医療用コンソールユニット費用のコストダウンが求められている。
【０００３】
多くの医療用コンソールユニットは、壁面に取り付けられる基本骨格となるフレーム体と、フレーム体に取り付けられる本体カバーと、電気機器やガス器具が設置される表面パネルで構成され、部品点数が多く、部品コスト、組み付けに時間が掛かるため、設置のトータルコストの削減が難しかった。
また、医療用コンソールユニットの中には、医療用ガスのアウトレットや医療用壁掛式吸引器の取り付けフック、ナースコール子機器具、コンセント、スイッチ等の設備機器が組み付けられる設備機器収納部と、設備機器と連設され、天井まで延伸する配管や電線などが通される配管ボックス部で構成されるものがある。
この場合、設備機器収納部に加え、配管ボックス部も壁面に取り付けられる基本骨格となるフレーム体と、フレーム体に取り付けられる表面パネルで構成される。
配管ボックス部も同様に部品点数が多くなる傾向にある。
【先行技術文献】
【特許文献】
【０００４】
【特許文献１】実開平０７−０４２６３５公報
【発明の概要】
【発明が解決しようとする課題】
【０００５】
本発明は、従来の問題点に鑑みて、トータルコストを抑制する使い勝手のよい医療用コンソールユニットを提供することを課題とする。
【課題を解決するための手段】
【０００６】
そこで、上記課題を解決する為、本発明が第１の手段として構成したところは、医療用ガスのアウトレットや医療用壁掛式吸引器の取り付けフック、ナースコール子機器具、コンセント、スイッチなどが組み付けられ、主に病室、居室の壁体に設置される医療用コンソールユニットにおいて、医療用コンソールユニットは、壁面に固定される単位部材のフレーム基材と、フレーム基材に連結し、かつ、フレーム基材を覆い隠蔽する単位部材のカバー部材で構成されるものである。
【０００７】
次に、上記課題を解決する為、本発明が第２の手段として構成したところは、医療用ガスのアウトレットや医療用壁掛式吸引器の取り付けフック、ナースコール子機器具、コンセント、スイッチなどが組み付けられ、主に病室、居室の壁体に設置される医療用コンソールユニットにおいて、医療用コンソールユニットは、壁面に固定される単位部材のフレーム基材と、フレーム基材に連結し、かつ、フレーム基材を覆い隠蔽する単位部材のカバー部材で構成される設備機器収納部と、設備機器収納部の上部に連設される配管や電線などが通される配管ボックス部で構成され、配管ボックスは、壁面に固定される少なくとも一対の単位部材であるフレーム材と、フレーム材に連結し、かつ、フレーム材を覆い隠蔽するとともに前記配管や電線などを覆い隠すパネル部材で構成されるものである。
【０００８】
次に、上記課題を解決する為、本発明が第３の手段として構成したところは、上記第２手段に加え、配管ボックスは、上下に高さ調整可能な笠木部材を備え、フレーム材は、上下方向に延伸するように配されるとともに、フレーム材の下部は、設備機器収納部に設けられた位置確認部よって上下位置と複数のフレーム材の左右の間隔が決められ、フレーム材の上部は、笠木部材によってフレーム材の左右の間隔が位置決められるものである。
【発明の効果】
【０００９】
請求項１に記載の発明によると、医療用コンソールユニットは、単位部材のフレーム基材と、単位部材のカバー部材で構成されるので部品点数が少なくすみ、部品管理費用の削減、梱包費用の削減が可能となり、フレーム基材は、カバー部材で覆い隠蔽されるので、塗装などの装飾処理が不要なのでコストダウンにつながる。また、部品点数が少ないので、設置工事の時間が短縮でき、設置工事費用を抑制することができる。
【００１０】
請求項２に記載の発明によると、設備機器収納部は、単位部材のフレーム基材と、単位部材のカバー部材で構成されるので部品点数が少なくすみ、部品管理費用の削減、梱包費用の削減が可能となり、フレーム基材は、カバー部材で覆い隠蔽されるので、塗装などの装飾処理が不要なのでコストダウンにつながる。また、部品点数が少ないので、設置工事の時間が短縮でき、設置工事費用を抑制することができる。
また、配管ボックス部も同様に、単位部材のフレーム材と、単位部材のパネル部材のみで構成されるので部品点数が少なくすみ、部品管理費用の削減、梱包費用の削減が可能となり、フレーム材は、パネル部材で覆い隠蔽されるので、塗装などの装飾処理が不要なのでコストダウンにつながる。そして、フレーム材は、個別に配置される単位部材のため、設置の際には、枠組みされた大きなフレーム体を持ち上げる必要がなく、設置工事の時間が短縮でき、設置工事費用を抑制することができる。
【００１１】
請求項３に記載の発明によると、前記効果に加え、フレーム材は、下部を設備機器収納部で位置決めできるので、先に設備機器収納部を設置すると特段の測定なしに設置位置が特定できるため、フレーム材があらかじめ枠組みされていなくても設置が簡単にできる。
また、一対のフレーム材の上部は笠木によって間隔が決められるので、フレーム材の設置の際には、フレーム材の垂直度のみを確認するだけでよく設置工事の時間が短縮でき設置工事費用を抑制することができる。
【図面の簡単な説明】
【００１２】
【図１】本件医療用コンソールユニットの使用状態を示す斜視図
【図２】本件医療用コンソールユニットの斜視図
【図３】本件医療用コンソールユニットの部材の構成を示す分解斜視図
【図４】本件医療用コンソールユニットの要部拡大鉛直断面図
【図５】本件医療用コンソールユニットの下部パネル部材を含む要部拡大鉛直水平断面図
【図６】本件医療用コンソールユニットの上部パネル部材を含む要部拡大鉛直水平断面図
【図７】フレーム基材の斜視図
【図８】左側フレーム材の斜視図
【図９】カバー部材の斜視図
【発明を実施するための最良の形態】
【００１３】
医療用ガスのアウトレットや医療用壁掛式吸引器の取り付けフック、ナースコール子機器具、コンセント、スイッチなどが組み付けられ、主に病室、居室の壁体に設置される医療用コンソールユニットにおいて、医療用コンソールユニットを、壁面に固定される単位部材のフレーム基材と、フレーム基材に連結し、かつ、フレーム基材を覆い隠蔽する単位部材のカバー部材のみで構成される設備機器収納部と、設備機器収納部の上部に連設される配管や電線などが通される配管ボックス部で構成し、配管ボックスを、壁面に固定される一対の単位部材であるフレーム材と、フレーム材に連結し、かつ、フレーム材を覆い隠蔽するとともに前記配管や電線などを覆い隠すパネル部材と、一対のフレーム材と連結し上下に高さ調整可能な笠木部材で構成し、フレーム材を、上下方向に延伸するように配し、かつ、フレーム材の下部を、設備機器収納部に設けられた位置確認部よって上下位置と複数のフレーム材の左右の間隔が決めるように施し、フレーム材の上部を、笠木部材によってフレーム材の左右の間隔が位置決めできるように構成する。
【実施例】
【００１４】
以下、実施例を添付図面に基づいて詳述する。
図１、図２において、符号１は、本件医療用コンソールユニットを示し、符号２は、設備機器収納部、符号３は、配管ボックス部を示している。
図１における符号５００は、配管ボックス部３に取り付けられた照明器具を示し、符号６００は電気関連器具を示し、符号７００は、医療用ガス器具を示している。
【００１５】
図３において、符号４は、フレーム基材を示し、符号５は、左側フレーム材を示し、符号６は、右側フレーム材を示し、符号７は笠木を示す。
そして、符号８は、カバー部材を示し、符号９は下部パネル部材、符号１０は上部パネル部材を示している。
【００１６】
次に各部材について詳述する。
フレーム基材４は、壁面に接し壁面にアンカー止めされる横方向に細長い長方形を成す板状のカバー用基板４０と、カバー用基板４０の下端部より前方に突出し同じく板状のカバー用取り付け部４１で側面視Ｌ字状に形成され、カバー用基板４０には、アンカー固定用の貫通孔４０ａが複数個設けられ、カバー用取り付け部４１には、後述するカバー部材取り付けネジ用の螺孔４１ａが複数個設けられている。
【００１７】
左側フレーム材５と右側フレーム材６は対称形であるため、左側フレーム材６についてのみ詳述する。
左側フレーム材５は、壁面に接し壁面にアンカー止めされる縦方向に細長い長方形を成す板状のパネル用基板５０と、パネル用基板５０の左端部より前方に突出し同じく板状の側面案内部５１と、側面体５１の前端面の上部の一部を除く前端部より内側（右側）に突出するパネル用取り付け部５２と、側面案内部５１の上端部より一旦外側（左側）に突出し、すぐに上方に突出する支持部５３と、支持部５３の上端部より外側（左側）に突出する上部パネル固定部５４で平面視略コ字状断面に形成される。また、側面案内部５１の下端部から下方に突出する差込片５１ｂが形成されている。
【００１８】
そして、パネル用基板５０には、アンカー固定用の横向き小判状の貫通孔５０ａが複数個設けられ、側面体５１の上部には、縦向き長尺な小判状の調整用貫通孔５１ａ、５１ａが設けられ、パネル用取り付け部５２には後述する下部パネル９に設けられた取り付け孔に対応して、パネル用螺孔５２ａが設けられ、上部パネル固定部５４には、後述する上部パネル固定ネジ用の螺孔５４ａが設けられている。
尚、右側フレーム材６の場合には、左側フレーム材５と対称形であるから、上記左側フレーム材５の説明の符号はそれぞれ、パネル用基板６０、貫通孔６０ａ、側面案内部６１、調整用貫通孔６１ａ、差込片６１ｂ、パネル用取り付け部６２、支持部６３、上部パネル固定部６４、螺孔６４ａとなる。
【００１９】
笠木７は、横方向に長い長方形を成す板状の正面板７０と、正面板７０の両端部からそれぞれ後方に突出する側面板７１、７１で平面視コ字状に形成され、正面板７０、側面板７１、７１それぞれの上端部と下端部が内側に折り曲げられ笠木の剛性を確保している。
そして、側面板７１、７１には、前記調整用貫通孔５１ａ、５１ａに対応して螺孔７１ａ、７１ａが設けられている。
【００２０】
カバー部材８は、横方向に長い長方形を成す板状の正面化粧部８０と、正面化粧部８０の下端部から一旦斜め後方に向かって突出したあと、後方に向かって水平に延伸する下面化粧部８１と、下面化粧部８１の後端部から上方に突出し、該突出端から後方に突出する取り付け化粧部８２と、正面化粧部８０の上端から後方に向かって水平に延伸する上面化粧部８３と、上面化粧部８３の後端部から上方に突出する上部取り付け部８４で形成されるカバー体８００の両端部を閉塞する板状の側面蓋８０１、８０１と、カバー体８００の内面側に設置される医療用ガス器具などを取り付ける機器取り付け基材８０２が溶接などによってあらかじめ一体的に組み立てられるものである。
【００２１】
そして、正面化粧部８０には、電気器具を取り付けるための開口孔や取り付け螺孔、医療用ガス器具取り付け用の開口孔が、仕様に応じて適宜設けられる。また、上面化粧部８３にも電気器具や医療用ガス器具に連結される電線や配管の挿通孔が、仕様に応じて適宜設けられる。さらに、上面化粧部８３の左右端部付近には、前後方向に細長い長方形を成す差込孔８３ａ、８３ａが設けられ、所定の位置に、後述する下部パネル９の下面の勘合孔９１ａに差し込まれるゴム製で上方に向かって細くなる円錐台状の突起体８３ｂ、８３ｂが上部に突起して取り付けられている。
取り付け化粧部８２の水平部には前記フレーム基材４の螺孔４１ａに対応した固定用貫通孔８２ａが設けられている。また、上部取り付け部８４には、アンカー固定するための上部固定用貫通孔８４ａが複数個設けられている。
同じく、上部取り付け部８４の両側端部付近の上部側に左側フレーム材５と右側フレーム材６のパネル用基板５０、６０の左右幅と略同寸であるが若干大きい幅の切り欠き８４ｂが設けられている。
【００２２】
下部パネル部材９は、横方向に長い長方形を成す板状の下部正面化粧板９１と、下部正面化粧板９１の両端部からそれぞれ後方に突出する下部側面化粧板９２、９２と、下部側面化粧板９２、９２それぞれの後端面からそれぞれに対向する内側に向かって突出する下部後面板９３、９３と、下部後面板９３、９３それぞれ突出端からそれぞれ前方に突出する下部案内板９４、９４と、下部案内板９４、９４それぞれの突出端からそれぞれに対向する内側に向かって突出する下部当接板９５、９５で形成される。
そして、下部正面化粧板９１と下部側面化粧板９２、９２の上下端はそれぞれ内側に折り曲げられ、該上端側の折り曲げ部は先端でさらに上部に折り曲げられ下部パネル部材９の補強とされ下部パネル部材９の剛性を確保している。
該折り曲げられた部分の内、下部正面化粧板９１側の折り曲げ部分には、丸孔である勘合孔９１ａ、９１ａが設けられている。
下部正面化粧板９１の裏面（内面）には、適宜必要に応じて補強板などの補強部材９０が溶接などで取り付けられる。
【００２３】
下部当接板９４、９４の上端はそれぞれ下部正面化粧板９０の上端より上に突出し、該突出部には、前記左側フレーム材５、右側フレーム材６のパネル用螺孔５２ａ、６２ａに対応して取り付け孔９４ａ、９４ａが設けられている。
【００２４】
上部パネル部材１０は、横方向に長い長方形を成す板状の上部正面化粧板１０１と、上部正面化粧板１０１の両端部からそれぞれ後方に突出する上部側面化粧板１０２、１０２と、上部側面化粧板１０２、１０２それぞれの後端面からそれぞれに対向する内側に向かって突出する上部後面板１０３、１０３と、上部後面板１０３、１０３それぞれ突出端からそれぞれ前方に突出する上部案内板１０４、１０４と、上部案内板１０４、１０４それぞれの突出端からそれぞれに対向する内側に向かって突出する上部当接板１０５、１０５で形成される。
そして、上部正面化粧板１０１と上部側面化粧板１０２、１０２の上下端はそれぞれ内側に折り曲げられ、上部パネル部材１０の補強とされ上部パネル部材１０の剛性を確保している。
該上部側面化粧板１０２、１０２の折り曲げ部のうち上部折り曲げ部１０６、１０６には、前記左右のフレーム材５、６に設けられた螺孔５４ａ、６４ａに対応した上部取り付け孔１０６ａ、１０６ａが設けられている。
尚、上部正面化粧板１０の裏面（内面）には、適宜必要に応じて補強板などの補強部材１００が溶接などで取り付けられる。
【００２５】
このように下部パネル部材９、上部パネル部材１０は、それぞれ、補強部材９０、１００を除く部材が一枚の鋼板を折り曲げることによって形成されており、使用状態における正面側と両側面側が一体的であるから、部材点数が少なく、梱包工程、塗装工程のコストダウンに寄与できる。
また、フレーム基材４、左側フレーム材５、右側フレーム材６、カバー部材８は、前述のとおり、それぞれ単一部材として構成されている。
【００２６】
次に、このように各部材が構成された本件医療用コンソールユニット１の設置方法について説明する。
医療用コンソールユニット１を取り付けるためのアンカー位置に対応して、あらかじめ骨材が埋め込まれた壁面に、フレーム基材４固定用のアンカーボルト４ａを採寸された所定の位置に取り付ける。
フレーム基材４の４０ａ貫通孔に該アンカーボルト４ａが差し込まれるように、フレーム基材４を壁面に押し当て、フレーム基材４をアンカーボルト４ａで壁面に固定する。
【００２７】
次に、カバー部材８の固定用のアンカーボルト８ａを、前記壁面の採寸された所定の位置に取り付ける。
そして、カバー部材８の上部取り付け部８４の上部固定用貫通孔８４ａに該アンカーボルト８ａが差し込まれるようにカバー部材８を壁面に押し当て、カバー部材８をアンカーボルト８ａで壁面に仮固定する。
この状態から、フレーム基材４のカバー用取り付け部４１の下面と、カバー部材８の取り付け化粧部８２の上面が接するように、かつ、フレーム基材４の螺孔４１ａと固定用貫通孔８２ａの位置が合うようにカバー部材８の下部を調整し、カバー部材８の下面から固定用貫通孔８２ａにネジを貫通させ、螺孔４１ａを利用して、フレーム基材４とカバー部材８の下部をネジにて固定する。そして、前記仮止めのアンカーボルト８ａを本固定して、カバー部材８の設置は完了し設備機器収納部２が設置された状態となる。
【００２８】
このように、カバー部材８は、下部を簡単な形状のフレーム基材４に固定し、上部を直接壁面に固定するため、設備機器収納部２は、フレーム基材４、カバー部材８とフレーム基材４とカバー部材８を連結する締結具（ネジ）のみで構成されるので、部材点数が少なくすむことに加え、カバー部材８の壁面への固定を上部と下部で分離しているので、カバー部材８の高さが変化しても、フレーム基材４の高さを変える必要がなく一定のものを使用することができる。
【００２９】
次に、左右のフレーム材５、６固定用のアンカーボルト５ａ、６ａを、前記壁面の採寸された所定の位置に取り付ける。
左側フレーム材５の下部の差込片５１ｂをカバー部材８の差込孔８３に差込み、パネル用基板５０の貫通孔５０ａに該アンカーボルト５ａが差し込まれるように、左側フレーム材５を壁面に押し当て、アンカーボルト５ａで壁面に仮固定する。
差込孔８３は、差込片５１ｂの断面形状と略同じで若干大きく形成され、差込片５１ｂが差し込まれ、かつ、ガタツキが少なくなるように設定されている。
また、この時、カバー部材８の上部取り付け部８４の切り欠き８４ｂに左側フレーム材５のパネル用基板５０の下部がはまり込むように、差込孔８３、切り欠き８４ｂの位置が決められている。そして、パネル用基板５０の下端が、切り欠き８４ｂの底面に当接し、フレーム部材の上下方向の位置が決められる。したがって、左側フレーム材５は、差込孔８３、切り欠き８４ｂによって、上下、左右、前後の位置が、カバー部材８によって決まるので、カバー部材８が左右のフレーム材の取り付け位置を決めるゲージの役割を担っている。そして、右側フレーム材６も左側フレーム材５と対称に左側フレーム材５と同様に組みつけられ仮固定される。
【００３０】
仮固定された、左側フレーム材５、右側フレーム材６の上部の側面案内部５１、６１の内面間に、笠木７が、笠木７の側面板７１、７１の外側面が、側面案内部５１、６１の内面に接するように差し込まれ、側面案内部５１、６１のそれぞれの外側から調整用貫通孔５１ａ、６１ａを貫通させてネジを、固定螺孔７１ａ、７１ａに螺合させ、笠木７を左側フレーム材５、右側フレーム材６に固定する。
【００３１】
この状態で左側フレーム材５、右側フレーム材６は上下部分が、それぞれカバー材８と笠木７で位置固定される。
そして、左側フレーム材５、右側フレーム材６の垂直度を水平器などで確認しながら、左側フレーム材５、右側フレーム材６が垂直な位置でアンカーを本締めし、左側フレーム材５、右側フレーム材６を固定する。
笠木７の固定ネジも一旦緩め、笠木７の上面が天井に接するように笠木７の高さ調整を行い、緩めたネジを締め笠木７の位置を固定する。
このように、左側フレーム材５、右側フレーム材６は、カバー材８と笠木７で左右間の位置が決まるので、施工が簡単となり施工コストの削減が可能である。
【００３２】
次に、下部パネル部材９を左側フレーム材５、右側フレーム材６の正面から取り付ける。
この時、左右の下部案内板９４、９４が、それぞれ、左側フレーム材５、右側フレーム材６の側面案内部５１、６１の外側部に沿うように案内されるので、下部パネル部材９の左右方向の位置は自然と決められる。
そして、左側フレーム材５、右側フレーム材６のパネル用取り付け部５２、６２の正面側と下部パネル部材９の下部当接板９５、９５が当接することによって、下部パネル部材９の前後方向の位置が決められる。
この状態で、下部パネル部材９を下方に降ろしていき、下部パネル部材９の勘合孔９１ａ、９１ａにカバー部材８の突起体８３ｂ、８３ｂを差し込む。そして、カバー体８の上面と下部パネル部材９の下面が当接して、下部パネル部材９の上下方向が決められる。
勘合孔９１ａは、円錐台状の突起体８３ｂの最大円周とほぼ同じ大きさの円形であるが、突起体８３ｂはゴム製なので、多少の位置ずれは、突起体８３ｂが弾性変形しながら吸収することが可能である。
尚、突起体８３ｂは、下部パネル部材９の下部正面化粧板９１の前後方向の撓みを防止するためのものである。
【００３３】
このように、下部パネル部材９の前後左右上下の位置が決まった状態で、左側フレーム材５、右側フレーム材６の貫通孔パネル用螺孔５２ａ、６２ａと、下部パネル部材９の下部取り付け孔９５ａ、９５ａの位置が合うので、この部分でネジにて固定する。
【００３４】
次に、上部パネル部材１０を左側フレーム材５、右側フレーム材６の正面から取り付ける。この時、左右の上部案内板１０４、１０４が、それぞれ、左側フレーム材５、右側フレーム材６の側面案内部５１、６１の外側部に沿うように案内されるので、上部パネル部材１０の左右方向の位置は自然と決められる。
そして、左側フレーム材５、右側フレーム材６のパネル用取り付け部５２、６２の正面側と上部パネル部材１０の上部当接板１０５、１０５が当接することによって、上部パネル部材１０の前後方向の位置が決められる。
この状態で、上部パネル部材１０を下方に降ろしていき、上部パネル部材１０の下面に設けられた丸孔の勘合孔１０１ａ、１０１ａに、下部パネル部材９の上面に設けられた突起体９１ｂ、９１ｂを差し込む。そして、下部パネル部材９の上面と上部パネル部材１０の下面が当接して、上部パネル部材１０の上下方向が決められる。
尚、勘合孔１０１ａは、円錐台状の突起体９１ｂの最大円周とほぼ同じ大きさの円形であるが、突起体９１ｂは、突起体８３ｂと同形状のゴム製であり、突起体８３ｂの効果と同様に、多少の位置ずれは、突起体９１ｂが弾性変形しながら吸収することが可能である。
突起体９１ｂと勘合孔１０１ａの勘合によって、下部パネル部材９と上部パネル部材１０が協働で前後方向の撓みを防止することができる。
【００３５】
上部パネル部材１０の前後左右上下の位置が決まった状態で、左側フレーム材５、右側フレーム材６の上部パネル固定部５４、６４の螺孔５４ａ、６４ａと、上部パネル部材１０の上部取り付け孔１０６ａ、１０６ａの位置が合うので、この部分で工具不要で締めることができる化粧ネジにて固定する。
【００３６】
このようにして、本件発明の医療用コンソールユニットは壁面に取り付けられる。
そして、電線や配管の配設、電気器具やガス器具の取り付け時には、前記とは逆の手順で、上部パネル部材１０、下部パネル部材９が取り外される。
次に、配管ボックス部３の上方の天井部より壁面を沿わしながら電線や配管が降ろされ、該電線や配管がカバー部材８の上面の挿通孔から設備機器収納部２の内部に引き込まれ、該電線や配管が電気器具やガス器具と連結された後、電気器具やガス器具が設備機器収納部２に固定される。そして、上記と同様の手順で下部パネル部材９、上部パネル部材１０が取り付けられ、医療用コンソールユニットは使用状態となる。
【００３７】
このように、本発明の医療用コンソールユニットは、部品点数が少ないためコストダウンが可能であるから、本実施例のように横に長い医療用コンソールユニットだけでなく、縦方向に細長い医療用コンソールユニットに利用してもよい。
【００３８】
尚、本発明における設備機器収納部２は、配管ボックス部３を使用しなくても使用可能である。
例えば、前述の設備機器収納部２が設置された状態で、設備機器収納部２の上方の天井部より壁面を沿わしながら電線や配管が降ろし、該電線や配管がカバー部材８の上面の挿通孔から設備機器収納部２の内部に引き込み、該電線や配管が電気器具やガス器具と連結された後、電気器具やガス器具が設備機器収納部２に固定する。
そして、設備機器収納部２上部の電線や配管を隠蔽するように、設備機器収納部２の上部にふかし壁を形成し、該ふかし壁を壁クロス材などで化粧処理し、設備機器収納部２が使用状態となる。
このように、電線や配管のメンテナンスを考えると、本実施例における配管ボックス部３を有した形態のほうがより適しているが、建築全体のコストを考慮して、配管ボックス部３を排した形態で設備機器収納部２のみで医療用コンソールユニットを形成することもできる。
【００３９】
また、本件実施例における配管ボックス部の基本構成は、壁面に固定される複数の単位部材のフレーム材と、フレーム材に連結し、かつ、複数のフレーム材を覆い隠蔽するとともに前記配管や電線などを覆い隠すパネル部で構成されるものであるから、部品点数が少なく製造コスト、施工コストが軽減できるため、ふかし壁の代わりとすることが可能であり、本件実施例における部品点数の少ない設備機器収納部２だけでなく、他の設備機器収納部の電線、配管の配設部分として利用することが可能である。
【符号の説明】
【００４０】
１      医療用コンソールユニット
２      設備機器収納部
３      配管ボックス部
４      フレーム基材
５      左側フレーム材
５０    パネル用基板
５０ａ  貫通孔
５１    側面案内部
５１ａ  調整用貫通孔
５１ｂ  差込片
６      右側フレーム材
６０    パネル用基板
６０ａ  貫通孔
６１    側面案内部
６１ａ  調整用貫通孔
６１ｂ  差込片
７      笠木
７０    正面板
７１    側面板
７１ａ  固定螺孔
８      カバー部材
８０    正面化粧部
８１    下面化粧部
８２    取り付け化粧部
８３    上面化粧部
８３ａ  差込孔
８３ｂ  突起体
８４    上部取り付け部
８４ａ  上部固定用貫通孔
８４ｂ  切り欠き
８００  カバー体
９      下部パネル部材
９２    下部側面化粧板
９３    下部後面板
９４    下部案内板
９５    下部当接板
１０    上部パネル部材
１０１  上部正面化粧板
１０２  上部側面化粧板
１０３  上部後面板
１０４  上部案内板
１０５  上部当接板
【図１】
2019103595.tif 000003
【図２】
2019103595.tif 000004
【図３】
2019103595.tif 000005
【図４】
2019103595.tif 000006
【図５】
2019103595.tif 000007
【図６】
2019103595.tif 000008
【図７】
2019103595.tif 000009
【図８】
2019103595.tif 000010
【図９】
2019103595.tif 000011